【手続補正書】
【提出日】平成24年3月14日(2012.3.14)
【手続補正１】
【補正対象書類名】特許請求の範囲
【補正対象項目名】全文
【補正方法】変更
【補正の内容】
【特許請求の範囲】
【請求項１】
表示手段に対するタッチ操作を検出可能なタッチ検出手段と、
動画を再生して前記表示手段に表示するように制御する表示制御手段と、
前記表示制御手段で動画を再生表示している際に前記タッチ検出手段でタッチ操作が検出されることに応じて、再生表示している前記動画に対して、該タッチ操作の開始から終了までに対応する期間、該タッチ操作でのタッチ位置に応じた位置に、該タッチ操作の軌跡に応じた効果を付して表示用データを合成して表示するように制御する制御手段
とを有することを特徴とする画像処理装置。
【請求項２】
前記制御手段は、前記軌跡が曲線で合った場合、前記表示用データを該曲線に沿った形に調整して合成するように制御することを特徴とする請求項１に記載の画像処理装置。
【請求項３】
表示手段に対する複数点でのタッチ操作を検出可能なタッチ検出手段と、
動画を再生して前記表示手段に表示するように制御する表示制御手段と、
前記表示制御手段で動画を再生表示している際に前記タッチ検出手段で検出されたタッチ操作に応じて、前記動画に対して、該タッチ操作の入力点数に応じた効果を付して表示用データを合成するように制御する制御手段
とを有することを特徴とする画像処理装置。
【請求項４】
表示手段に対する複数点でのタッチ操作を検出可能なタッチ検出手段と、
動画を再生して前記表示手段に表示するように制御する表示制御手段と、
前記表示制御手段で動画を再生表示している際に前記タッチ検出手段で検出された複数点でのタッチ操作に応じて、前記動画に対して、該複数点でのタッチ操作の各入力点の位置関係に応じた効果を付して表示用データを合成するように制御する制御手段
とを有することを特徴とする画像処理装置。
【請求項５】
前記制御手段は更に、前記タッチ操作の入力点数に応じた効果を付して前記表示用データを合成するように制御することを特徴とする請求項４に記載の画像処理装置。
【請求項６】
前記制御手段は、２点でのタッチ操作を検出した場合に２つの入力点間の距離が閾値より大きい場合、該２つの入力点の中間が前記表示用データの中心となるように前記表示用データを合成するように制御することを特徴とする請求項４または５に記載の画像処理装置。
【請求項７】
前記制御手段は、２点でのタッチ操作を検出した場合に２つの入力点間の距離が開くように移動することに応じて、該２つの入力点間の距離が開く方向に前記表示用データが開くような効果を付して該表示用データを合成するように制御することを特徴とする請求項４乃至６のいずれか１項に記載の画像処理装置。
【請求項８】
前記制御手段は、２点でのタッチ操作を検出した場合に２つの入力点が回転するように移動することに応じて、前記表示用データが回転する効果を付して該表示用データを合成するように制御することを特徴とする請求項４乃至７のいずれか１項に記載の画像処理装置。
【請求項９】
前記制御手段は、２点でのタッチ操作を検出した場合に２つの入力点が同じ方向に移動することに応じて、該２つの入力点の移動方向に前記表示用データが移動するような効果を付して該表示用データを合成するように制御することを特徴とする請求項４乃至８のいずれか１項に記載の画像処理装置。
【請求項１０】
前記制御手段は、２点でのタッチ操作を検出した場合に２つの入力点間の距離が小さくなるように移動することに応じて、前記表示用データが閉じるような効果を付して該表示用データを合成するように制御することを特徴とする請求項４乃至９のいずれか１項に記載の画像処理装置。
【請求項１１】
前記制御手段は、１点でのタッチ操作を検出していた状態から２点でのタッチ操作を検出した場合に、先に検出していた１点目のタッチ位置から後に検出された２点目のタッチ位置の方向に前記表示用データが移動するような効果を付して該表示用データを合成するように制御することを特徴とする請求項３乃至１０のいずれか１項に記載の画像処理装置。
【請求項１２】
前記制御手段は、２点でのタッチ操作を検出していた状態から１点でのタッチ操作になったことを検出した場合に、１点でのタッチ操作になった際のタッチ位置の方向に前記表示用データが移動するような効果を付して該表示用データを合成するように制御することを特徴とする請求項３乃至１１のいずれか１項に記載の画像処理装置。
【請求項１３】
前記制御手段は、前記動画のうち、該タッチ操作の開始から終了までに対応する期間に対して前記表示用データを合成するように制御することを特徴とする３乃至１２のいずれか１項に記載の画像処理装置。
【請求項１４】
前記制御手段は、前記動画のうち、該タッチ操作でのタッチ位置に応じた位置に対して前記表示用データを合成するように制御することを特徴とする請求項３乃至１３のいずれか１項に記載の画像処理装置。
【請求項１５】
前記表示用データは文字列であることを特徴とする請求項１乃至１４のいずれか１項に記載の画像処理装置。
【請求項１６】
前記画像処理装置は撮像部を有する撮像装置であることを特徴とする請求項１乃至１５のいずれか１項に記載の画像処理装置。
【請求項１７】
表示手段に対するタッチ操作を検出するタッチ検出ステップと、
動画を再生して前記表示手段に表示するように制御する表示制御ステップと、
前記表示制御ステップで動画を再生表示している際に前記タッチ検出ステップでタッチ操作が検出されることに応じて、再生表示している前記動画に対して、該タッチ操作の開始から終了までに対応する期間、該タッチ操作でのタッチ位置に応じた位置に、該タッチ操作の軌跡に応じた効果を付して表示用データを合成して表示するように制御する制御ステップ
とを有することを特徴とする画像処理装置の制御方法。
【請求項１８】
表示手段に対する複数点でのタッチ操作を検出可能なタッチ検出ステップと、
動画を再生して前記表示手段に表示するように制御する表示制御ステップと、
前記表示制御ステップで動画を再生表示している際に前記タッチ検出ステップで検出されたタッチ操作に応じて、前記動画に対して、該タッチ操作の入力点数に応じた効果を付して表示用データを合成するように制御する制御ステップ
とを有することを特徴とする画像処理装置の制御方法。
【請求項１９】
表示手段に対する複数点でのタッチ操作を検出可能なタッチ検出ステップと、
動画を再生して前記表示手段に表示するように制御する表示制御ステップと、
前記表示制御ステップで動画を再生表示している際に前記タッチ検出ステップで検出された複数点でのタッチ操作に応じて、前記動画に対して、該複数点でのタッチ操作の各入力点の位置関係に応じた効果を付して表示用データを合成するように制御する制御ステップ
とを有することを特徴とする画像処理装置の制御方法。
【請求項２０】
コンピュータを、請求項１乃至１６のいずれか１項に記載された画像処理装置の各手段として機能させるプログラム。
【請求項２１】
コンピュータを、請求項１乃至１６のいずれか１項に記載された画像処理装置の各手段として機能させるプログラムを格納したコンピュータが読み取り可能な記憶媒体。
【手続補正２】
【補正対象書類名】明細書
【補正対象項目名】発明の名称
【補正方法】変更
【補正の内容】
【発明の名称】画像処理装置、その制御方法及びプログラム並びに記憶媒体
【手続補正３】
【補正対象書類名】明細書
【補正対象項目名】０００１
【補正方法】変更
【補正の内容】
【０００１】
本発明は、動画像に文字列等の表示用データを挿入又は合成する画像処理装置、その制御方法及びプログラム並びに記憶媒体に関する。
【手続補正４】
【補正対象書類名】明細書
【補正対象項目名】０００８
【補正方法】変更
【補正の内容】
【０００８】
本発明は、このような問題を解決する画像処理装置、その制御方法及びプログラム並びに記憶媒体を提示することを目的とする。
【手続補正５】
【補正対象書類名】明細書
【補正対象項目名】０００９
【補正方法】変更
【補正の内容】
【０００９】
本発明に係る画像処理装置は、表示手段に対するタッチ操作を検出可能なタッチ検出手段と、動画を再生して前記表示手段に表示するように制御する表示制御手段と、前記表示制御手段で動画を再生表示している際に前記タッチ検出手段でタッチ操作が検出されることに応じて、再生表示している前記動画に対して、該タッチ操作の開始から終了までに対応する期間、該タッチ操作でのタッチ位置に応じた位置に、該タッチ操作の軌跡に応じた効果を付して表示用データを合成して表示するように制御する制御手段とを有することを特徴とする。
【手続補正６】
【補正対象書類名】明細書
【補正対象項目名】００１０
【補正方法】変更
【補正の内容】
【００１０】
本発明によれば、再生中の動画像に対してユーザがタッチパネルに行ったタッチ操作に応じた効果で表示用データを挿入し、動画像と合成することが可能となる。